【手続補正書】
【提出日】令和1年10月9日(2019.10.9)
【手続補正１】
【補正対象書類名】明細書
【補正対象項目名】０００７
【補正方法】変更
【補正の内容】
【０００７】
本発明の一態様に係る印刷装置は、発熱素子を有し、前記発熱素子に通電を行うことにより被印刷媒体に印刷を行うサーマルヘッドと、制御回路と、を備える。前記制御回路は、第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、前記発熱素子に前記通電を行う通電時間が前記印刷ドットに設定されている通電時間を分割した複数の分割通電時間の何れかに設定されている補間ドットを印刷するための補間データを生成し、前記第１印刷データを、該第１印刷データに前記補間データを付加した第２印刷データに変換し、前記サーマルヘッドにより前記第２印刷データに従って前記印刷を行うように制御する。
【手続補正２】
【補正対象書類名】明細書
【補正対象項目名】０００８
【補正方法】変更
【補正の内容】
【０００８】
本発明の一態様に係る印刷システムは、印刷装置と印刷制御装置とを備える印刷システムであって、前記印刷装置は、発熱素子を有し、前記発熱素子に通電を行うことにより被印刷媒体に印刷を行うサーマルヘッドと、制御回路と、を備える。前記印刷制御装置は、第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、前記発熱素子に前記通電を行う通電時間が前記印刷ドットに設定されている通電時間を分割した複数の分割通電時間の何れかに設定されている補間ドットを印刷するための補間データを生成し、前記第１印刷データを、該第１印刷データに前記補間データを付加した第２印刷データに変換し、前記第２印刷データを前記印刷装置へ出力する。前記制御回路は、前記サーマルヘッドにより前記第２印刷データに従って前記印刷を行うように制御する。
【手続補正３】
【補正対象書類名】明細書
【補正対象項目名】０００９
【補正方法】変更
【補正の内容】
【０００９】
本発明の一態様に係る印刷制御方法は、第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、サーマルヘッドの発熱素子に通電を行う通電時間が前記印刷ドットに設定されている通電時間を分割した複数の分割通電時間の何れかに設定されている補間ドットを印刷するための補間データを生成し、前記第１印刷データを、該第１印刷データに前記補間データを付加した第２印刷データに変換し、前記第２印刷データに従って前記発熱素子に通電を行うことにより被印刷媒体に印刷を行うように、前記サーマルヘッドを制御する。
【手続補正４】
【補正対象書類名】明細書
【補正対象項目名】００１０
【補正方法】変更
【補正の内容】
【００１０】
本発明の一態様に係るプログラムは、サーマルヘッドを有する印刷装置が備えるコンピュータに、第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、前記サーマルヘッドの発熱素子に通電を行う通電時間が前記印刷ドットに設定されている通電時間を分割した複数の分割通電時間の何れかに設定されている補間ドットを印刷するための補間データを生成し、前記第１印刷データを、該第１印刷データに前記補間データを付加した第２印刷データに変換し、前記第２印刷データに従って前記発熱素子に通電を行うことにより被印刷媒体に印刷を行うように、前記サーマルヘッドを制御する処理を実行させる。
【手続補正５】
【補正対象書類名】特許請求の範囲
【補正対象項目名】全文
【補正方法】変更
【補正の内容】
【特許請求の範囲】
【請求項１】
発熱素子を有し、前記発熱素子に通電を行うことにより被印刷媒体に印刷を行うサーマルヘッドと、
制御回路と、
を備え、
前記制御回路は、
第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、前記発熱素子に前記通電を行う通電時間が前記印刷ドットに設定されている通電時間を分割した複数の分割通電時間の何れかに設定されている補間ドットを印刷するための補間データを生成し、
前記第１印刷データを、該第１印刷データに前記補間データを付加した第２印刷データに変換し、
前記サーマルヘッドにより前記第２印刷データに従って前記印刷を行うように制御する、
ことを特徴とする印刷装置。
【請求項２】
請求項１に記載の印刷装置において、
前記制御回路は、
前記印刷画像が被印刷媒体に順次印刷される複数のラインにより形成され、前記複数のラインにおける第１ラインと該第１ラインの後に印刷される第２ラインとの間に前記段差部分が形成され、前記段差部分の形状が、前記第１ラインと前記第２ラインとの間で前記印刷ドットが減ることにより形成される第１段差形状である場合に、前記第１ラインの印刷を行う間に前記補間ドットを印刷するように前記補間データを生成し、
前記段差部分の形状が、前記第１ラインと前記第２ラインとの間で前記印刷ドットが増えることにより形成される第２段差形状であるとき、前記補間データを、前記第２ラインの印刷を行う間に前記補間ドットを印刷するように生成する、
ことを特徴とする印刷装置。
【請求項３】
請求項１に記載の印刷装置において、
前記制御回路は、
前記第１印刷データにおける前記複数の印刷ドットに対応する複数のドットデータの各々に設定されている前記通電時間を前記複数の分割通電時間に分割して分割データを生成し、
少なくとも前記補間データと前記分割データとに基づいて、前記第２印刷データを生成する、
ことを特徴とする印刷装置。
【請求項４】
請求項３に記載の印刷装置において、
前記制御回路は、
前記第１印刷データに基づいて、予備加熱データを生成し、
前記予備加熱データと前記補間データと前記分割データとに基づいて、前記第２印刷データを生成する、
ことを特徴とする印刷装置。
【請求項５】
請求項１に記載の印刷装置において、
前記制御回路は、前記第１印刷データに基づいて前記段差部分を特定し、特定された段差部分の近傍に、前記発熱素子に前記通電を行う通電時間が前記印刷ドットに設定されている通電時間を分割した複数の分割通電時間の何れかに設定されている補間ドットを印刷するための補間データを生成する、
ことを特徴とする印刷装置。
【請求項６】
印刷装置と印刷制御装置とを備える印刷システムであって、
前記印刷装置は、
発熱素子を有し、前記発熱素子に通電を行うことにより被印刷媒体に印刷を行うサーマルヘッドと、
制御回路と、を備え、
前記印刷制御装置は、
第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、前記発熱素子に前記通電を行う通電時間が前記印刷ドットに設定されている通電時間を分割した複数の分割通電時間の何れかに設定されている補間ドットを印刷するための補間データを生成し、
前記第１印刷データを、該第１印刷データに前記補間データを付加した第２印刷データに変換し、
前記第２印刷データを前記印刷装置へ出力し、
前記制御回路は、前記サーマルヘッドにより前記第２印刷データに従って前記印刷を行うように制御する、
ことを特徴とする印刷システム。
【請求項７】
第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、サーマルヘッドの発熱素子に通電を行う通電時間が前記印刷ドットに設定されている通電時間を分割した複数の分割通電時間の何れかに設定されている補間ドットを印刷するための補間データを生成し、
前記第１印刷データを、該第１印刷データに前記補間データを付加した第２印刷データに変換し、
前記第２印刷データに従って前記発熱素子に通電を行うことにより被印刷媒体に印刷を行うように、前記サーマルヘッドを制御する、
ことを特徴とする印刷制御方法。
【請求項８】
サーマルヘッドを有する印刷装置が備えるコンピュータに、
第１解像度で形成されている元画像を前記第１解像度より低い第２解像度の第１印刷データに従って複数の印刷ドットにより印刷した場合の印刷画像において、解像度の低下によって前記印刷画像に生じる段差部分の近傍に、前記サーマルヘッドの発熱素子に通電を行う通電時間が前記印刷ドットに設定されている通電時間を分割した複数の分割通電時間の何れかに設定されている補間ドットを印刷するための補間データを生成し、
前記第１印刷データを、該第１印刷データに前記補間データを付加した第２印刷データに変換し、
前記第２印刷データに従って前記発熱素子に通電を行うことにより被印刷媒体に印刷を行うように、前記サーマルヘッドを制御する、
処理を実行させることを特徴とするプログラム。